(57)【特許請求の範囲】
【請求項１】
1秒以上の長さから構成される一又は複数の音声を含む情報である音声情報を取得する音声情報取得部と、取得した音声情報を用いて音声波形を取得する音声波形取得部と、取得した音声波形を用いて刃物に刻印するための情報であって刃物の種類を含む情報であるデザイン情報を生成するデザイン情報生成部と、デザイン情報に基づき刃物への刻印処理を行うための刻印処理部と、を備えるデザイン刃物作製システム。
【請求項２】
刻印画像を取得する画像取得部と、取得した刻印画像を識別する識別部と、識別結果に応じて音声を出力する音声出力部と、をさらに備える請求項１に記載のデザイン刃物作製システム。
【請求項３】
1秒以上の長さから構成される一又は複数の音声を含む情報である音声情報を取得する音声情報取得ステップと、取得した音声情報を用いて音声波形を取得する音声波形取得ステップと、取得した音声波形を用いて刃物に刻印するための情報であって刃物の種類を含む情報であるデザイン情報を生成するデザイン情報生成ステップと、デザイン情報に基づき刃物への刻印処理を行うための刻印処理ステップと、を備えるデザイン刃物作製プログラム。
【請求項４】
1秒以上の長さから構成される一又は複数の音声を含む情報である音声情報を取得する音声情報取得ステップと、取得した音声情報を用いて音声波形を取得する音声波形取得ステップと、取得した音声波形を用いて刃物に刻印するための情報であって刃物の種類を含む情報であるデザイン情報を生成するデザイン情報生成ステップと、デザイン情報に基づき刃物への刻印処理を行うための刻印処理ステップと、からなるデザイン刃物作製方法。
【発明の詳細な説明】
【技術分野】
【０００１】
本発明は、デザイン刃物作製システムやプログラム、デザイン刃物の作製方法などに関する。
【背景技術】
【０００２】
親族や世話になった方へ長期間にわたり使用できるようなプレゼントとして、刃物を贈ることがある。そして、そのような贈り物としての刃物の付加価値を高めたり、贈答経路の把握を可能にしたりするための各種施策が知られている。
【０００３】
具体的には、以下に掲げる特許文献１及び２が挙げられる。特許文献１には、刃物の先端を保護するサックに装飾を施すことで装飾効果に優れた刃物をプレゼント用として提供可能となる技術が開示されている。また、特許文献２には、刃物に識別情報を打刻（刻印）することで、その後の刃物の流通経路や取得者の情報を管理することができるシステムに関する情報が開示されている。
【先行技術文献】
【特許文献】
【０００４】
【特許文献１】実登第３１６９９６３号
【特許文献２】特開２０１１−０１３９７７号
【発明の概要】
【発明が解決しようとする課題】
【０００５】
しかしながら、特許文献１に記載されている先行技術は、あくまで刃物の外装を装飾するための技術であって、刃物そのものを使用する際には贈答相手の目に触れず、また、いちど紛失してしまえばその効果も長続きしない。また、特許文献２についても、贈答経路を把握することで、確実な贈答相手への提供を確認することは可能であるものの、贈答者の意を伝えることまでできるとは言い難かった。
【課題を解決するための手段】
【０００６】
以上のような課題を解決すべく、本発明は、音声情報を取得する音声情報取得部と、取得した音声情報を用いて音声波形を取得する音声波形取得部と、取得した音声波形を用いて刃物に刻印するための情報であるデザイン情報を生成するデザイン情報生成部と、デザイン情報に基づき刃物への刻印処理を行うための刻印処理部と、を備えるデザイン刃物作製システムなどを提案する。
【０００７】
また、当該システムの発明に関連して、刻印画像を取得する画像取得部と、取得した刻印画像を識別する識別部と、識別結果に応じて音声を出力する音声出力部と、をさらに有するデザイン刃物作製システムなども提案する。
【０００８】
さらに加えて、当該システムの発明を実現するためのプログラムや、デザイン刃物の作製方法の発明などについても提案する。
【発明の効果】
【０００９】
主に以上のような構成をとる本発明によって、贈答者の贈答相手への気持ちを長期間にわたって伝えられるような刃物を製造し提供することができるようになる。
【図面の簡単な説明】
【００１０】
【図１】本発明のデザイン刃物作製システムの概略図
【図２】実施形態１のデザイン刃物作製システムの機能ブロックの一例を示す図
【図３】音声取得部における機能の概略の一例を示す図
【図４ａ】実施形態１のデザイン刃物作製システムを通じて刻印処理されるデザイン刃物の一例のうち牛刀の一例を示す図
【図４ｂ】実施形態１のデザイン刃物作製システムを通じて刻印処理されるデザイン刃物の一例のうち三徳包丁の一例を示す図
【図４ｃ】実施形態１のデザイン刃物作製システムを通じて刻印処理されるデザイン刃物の一例のうちパティナイフの一例を示す図
【図５】実施形態１のデザイン刃物作製システムの機能的な各構成をまとめて一のハードウェアとして実現した際の構成の一例を示す概略図
【図６】実施形態１のデザイン刃物の作製方法の流れの一例を示す図
【図７】実施形態２のデザイン刃物作製システムの機能ブロックの一例を示す図
【図８】実施形態２のデザイン刃物作製システムにおける処理の流れの一例を示す図
【発明を実施するための形態】
【００１１】
まず図１を示す。図１は本発明の概要を示す図である。本図に示されているように、本発明は、ユーザの管理する携帯端末等から音声を取得すると、当該音声を音声波形表示し、その音声波形を刃物に刻印することによって、贈答者が贈答相手に対する気持ちを音声でも伝え、長年にわたってその音声を楽しむことができるデザイン刃物を作製することが可能にするものである。
【００１２】
以下、本発明の各実施形態について図面とともに説明する。まず実施形態と請求項の相互の関係は、以下のとおりである。まず、実施形態１は主に請求項１、３、４などに対応する。実施形態２は主に請求項２などに対応する。
【００１３】
なお、本発明はこれらの実施形態に何ら限定されるものではなく、技術常識に従って特許請求の範囲の各請求項に記載の技術的思想を有し、その要旨を逸脱しない範囲内において、様々な態様で実施し得る。
【００１４】
＜＜実施形態１＞＞
＜概要＞
図２は、本実施形態のデザイン刃物作製システムの機能ブロックの一例を示す図である。同図において示されているように、本実施形態の「デザイン刃物作製システム」０２００は、「音声情報取得部」０２０１と、「音声波形取得部」０２０２と、「デザイン部」０２０３と、「刻印処理部」０２０４と、を有する。
【００１５】
なお、以下で詳しく説明するデザイン刃物作製システムは、その機能の一又は複数の機能を複数の装置にて実現するようにも構成され得るものであって、その機能ブロックは、いずれもハードウェア又はソフトウェアとして実現され得る。コンピュータを用いるものを例にすれば、ＣＰＵやメインメモリ、ＧＰＵ、ＴＰＵ、画像メモリ、バス、二次記憶装置（ハードディスクや不揮発性メモリ）、キーボードやマイク、タッチパネル、タッチパネルをタッチするための電子ペンなどの各種入力デバイス、スピーカ、ディスプレイその他各種出力デバイス、その他の外部周辺装置などのハードウェア構成部、またその外部周辺装置用のインターフェース、通信用インターフェース、それらのハードウェアを制御するためのドライバプログラムやその他のアプリケーションプログラムなどが挙げられる。
【００１６】
そしてメインメモリ上に展開したプログラムに従った演算処理によって、入力デバイスやその他インターフェースなどから入力されメモリやハードウェア上に保持されているデータなどが加工、蓄積されたり、前記各ハードウェアやソフトウェアを制御するための命令が作成されたりする。ここで、上記プログラムは、モジュール化された複数のプログラムとして実現されてもよいし、２以上のプログラムをクラウドコンピューティングその他の方法により組み合わせて一のプログラムとして実現されても良い。
【００１７】
＜機能的構成＞
「音声情報取得部」０２０１は、音声情報を取得するように構成される。ここでいう音声情報とは、音声のほか、取得日時や音声取得元、音声内容の属性などの情報を相互に関連付けて構成されることが考えられる。ここでいう音声取得元とは、当該音声を発した者を意味しており、特定のユーザIDなどによって特定されることが考えられる。音声内容の属性とは、例えば、誕生日や、入学、就職、退職、結婚、快気祝い、店舗開設、会社設立、周年祝い。長寿祝いなどのイベントを属性とし、それらのイベントと音声との関連性を示す情報と構成することが考えられる。これらの情報を相互に関連付けて取得することで、取得した音声がどのような内容であるかを、内容を識別することなく大要把握することが可能になる。
【００１８】
音声内容の属性については、ユーザによる任意のイベント名やイベント内容の説明に関する情報の入力を受け付ける構成であってもよいが、上述したような複数のイベントをあらかじめ選択可能に選択肢として用意し、ユーザからの選択に応じて取得する構成が好ましい。その場合、あらかじめ、イベントと関連するようなメッセージの文案を推奨メッセージとして提供可能に保持しておくことが考えられる。当該構成をとれば、ユーザがどのようなイベントに関連する贈答のために本発明を利用しているのかを把握することができるため、当該目的に好適な刻印処理その他の処理を行うよう、ユーザに対し推奨メッセージを提案することができる。例えば、誕生日とのイベントを選択した場合には「お誕生日おめでとう」「いつまでも元気でいてね」といったメッセージを音声として入力するよう促したり、退職とのイベントを選択した場合には、贈答する刃物で料理に勤しんでほしいとのメッセージを入力するよう促したりすることが考えられる。
【００１９】
音声情報の取得は、いちどに構成される種々の情報をまとめて取得する構成もあれば、一部の情報を取得した後に、当該一部の情報と紐づけるように他の情報を取得し、それぞれを関連付ける処理を行うことで取得する構成も考えられる。一度取得した情報を、加除修正することも可能である。そして加除修正する場合には、例えば一度取得した音声情報を再生したのち、改めて取得し直すかどうかを訪ねる構成を採用したうえ、取得し直すとの指示を受信した場合、再び音声情報を取得するような構成を採用してもよい。再び音声情報を取得した場合には、すでに取得していた音声情報は削除されてもよいし、新たに取得した音声情報とともに取得されてもよい。当該構成を採用することにより、例えば、短時間分の複数の音声情報を一にまとめて合成音声を構成する音声情報を加工処理したり、ユーザにとって最良と考える音声情報を選択可能にしたりすることができる。
【００２０】
これに関連し、取得する音声情報のうち音声は、所定時間以内の長さであることが望ましい。本発明で取得する音声は、その後音声波形に加工され刃物に刻印されるが、刃物の表面上刻印可能な領域には限りがあるため、当該制約に服するような波形を構成可能な音声情報であることが望ましい。具体的には、標準的な刃物の大きさや、刻印可能な面の合理的な表面積に照らし、最長でも１０秒以内の長さから構成される一又は複数の音声を含む情報として音声情報を構成することが望ましく、波形のデザイン性を強調すると、さらに５秒以内の長さにて構成されることがより望ましい。
【００２１】
また別の観点から、音声情報は所定時間よりは長い時間長の音声を含む情報であることが望ましい。あまりに短い音声を波形に加工し刻印しても、デザインとしてさほど目立たないばかりか、贈答相手にその意図が伝わりづらいからである。好ましくは、最短でも１秒以上の長さから構成される一又は複数の音声を含む情報として音声情報を構成することが望ましい。
【００２２】
なお、ここまで述べてきた音声の時間長については、音声情報取得後に音声を編集加工することによって、上述した上下限の範囲内に収めるような編集部を別途設け、かかる処理を通じて音声情報を刻印に適した時間長に加工することも考えられる。例えば、３人の孫によって祖母の誕生日祝いとして一言発せられ、それぞれ２秒で構成される「おめでとう」という音声メッセージを取得した場合、編集部における処理によって６秒間の一の音声情報として結合することなどが考えられる。また、前後に少し雑音の入ってしまったメッセージ音声などの前後のノイズを除去するような編集処理を行うことも可能である。当該構成を採用することにより、贈答相手に対し、より好適な内容の音声情報を提供することが可能になる。
【００２３】
以上の説明は、音声情報取得時の音声の時間長を特に制限せず、取得後に加工等編集処理する場合の構成の一例に関するものであるが、他にも、あらかじめ取得すべき音声の時間長を一定の時間（例えば５秒間）に指定し、当該指定した時間内で自由に音声の入力を受け付けることで音声その他の情報を含む音声情報を取得する構成も考えられる。当該構成を採用すれば、加工編集処理を行うことなく迅速に音声波形取得部での処理を行うことができる。
【００２４】
ちなみに、音声情報取得の方法としては、まず本実施形態のデザイン刃物作製システムに対し、マイクやタッチパネル等の外部デバイスを通じて直接音声その他の情報を入力する方法による場合が考えられる。そのほかにも、ユーザが自身の携帯端末であるユーザ端末に附属されているマイク等のデバイスを通じて音声情報を入力し、当該入力された音声情報をユーザ端末からネットワークを介してデザイン刃物作製システムに送信する処理を通じて取得する構成も考えられる。当該構成を採用することにより、場所の制約なく音声情報を取得することが可能になる。
【００２５】
ここで図３を示す。同図は、本実施形態のデザイン刃物作製システムにおける音声情報取得の一例を示す概要図である。同図に示されているように、ユーザは自身のスマートフォンのマイクを起動させて「おばあちゃん、長生きしてね！」などの音声を入力する。すると入力された音声は、当該入力したユーザ「Ａ」を識別するユーザＩＤ「Ａ」や、「Ａ０２２９１３１５．ｗａｖ」というデータ名の音声を含む音声情報などとともに音声情報として出力され、ネットワークを介して、デザイン刃物作製システムの音声情報取得部にて取得される、といった具合である。
【００２６】
なお同図では、音声情報取得部での取得の態様について、ユーザＩＤや取得日時、収録時間やデータ名をそれぞれ取得している様子が示されているが、これらの項目はいずれも取得する音声情報の一例であって、ここまで説明してきた各種情報が取得の対象となりうる。
【００２７】
「音声波形取得部」０２０２は、音声情報取得部にて取得した音声情報を用いて音声波形を取得するように構成される。ここでいう音声波形とは、正弦波にて表現されることを意味しており、音声情報を正弦波にて表現可能な形式に加工処理することで音声波形を取得することが可能である。
【００２８】
音声波形取得の具体的な方法は適宜定めてよいが、一例としては、縦軸を振幅（振動のふれ幅）、横軸を時間として構成される。単位時間あたりの振動回数が多ければ多いほど高音を表し、振幅が大きいほど大きな音を表す。
【００２９】
音声情報から波形を取得する具体的な態様は、オシロスコープを用いる方法が考えられる。「音声情報を用いて」とは、音声情報を構成する音声をオシロスコープを用いて波形表示することが考えられるが、ここで音声情報を構成する音声をそのまま波形表示する構成もあれば、取得した音声の一部を波形表示する構成も考えらえる。より具体的には、所定時間（例えば５秒）内にて構成される波形のみを取得する構成が考えられ、さらには音声の前後一定の時間長をカット処理し、当該音声のうち所定時間内の波形のみを表示する構成も考えられる。当該構成を採用することにより、刃物に刻印しやすい領域の波形を取得することができる。
【００３０】
「デザイン情報生成部」０２０３は、音声波形取得部にて取得した音声波形を用いて刃物に刻印するための情報であるデザイン情報を生成するように構成されている。デザイン情報は、その内容の全部又は一部について、ユーザが操作する端末からの所定の情報の選択その他の入力を受付け、当該受付内容に応じて生成される場合もあれば、あらかじめ保持する所定のルールに基づいて、取得した音声波形に当該ルールを適用することで生成する場合もある。
【００３１】
ここでいうデザイン情報とは、刃物に刻印されるデザインに関する情報のことを指しており、音声波形そのものをデザインに含めることを内容とする情報であることがまず考えられる。すなわち、刃物に対し音声波形を刻印するための情報としてデザイン情報が構成される。音声波形は線形にて構成され、シンプルな意匠であることから、音声波形をデザイン情報として構成し、刻印の用に供することにより、刃物のデザインとしてはしつこくならず、かつ、他の市販品との差別化が図られ、贈答相手にとり使い勝手が良く長く利用してもらえるようにすることができる。
【００３２】
また、デザイン情報としては、音声波形に加えて贈答相手に対するメッセージを文字情報として加えたり、画像を加えたりすることも可能であるが、上述の理由により、これらの情報を加える場合であっても、音声波形に対して相対的に狭い領域にて刻印がなされるようなデザインであることが好ましい。例えば、音声波形の端部の所定領域にのみ刻印されるであるとかいった具合である。当該構成を採用することにより、文字情報等を刻印する場合であっても音声波形をデザインとして用いることによる利点を活かすことができる。
【００３３】
ここまでは、デザイン情報として、どのような意匠を採用するかを説明したが、デザイン情報生成部においては、刃物に刻印するためのその他の情報についてもデザイン情報として生成する。具体的には、刻印対象となる刃物の種類や刻印位置、刻印するサイズその他刻印に必要な情報をその内容として構成することが考えられる。例えば、ハサミや包丁、カッターナイフ、メス、カミソリ、ペーパーナイフなどの刃物の種類を選択可能にすることで、当該種類に応じた特徴をもつ刃の性質や形状、大きさに即した刻印位置を特定することが可能になる。
【００３４】
ここで図４（ａ）ないし（ｃ）を示す。同各図はいずれも、本実施形態のデザイン刃物作製システムを用いて刻印処理をする場合の刃物の一例を示す図である。図４（ａ）に示されているように、包丁をはじめとする多くの刃物においては、通常「平（ひら）」と呼ばれる部位０４０１に銘を刻印することが多く、本発明においても平を原則的な刻印位置とすることが好ましい。より好ましくは、平のうち相対的に峰０４０２と柄元０４０３の周辺領域を刻印位置とすることが好ましい。
【００３５】
そしてさらに好適な刻印位置について具体的な数字を挙げると、柄元０４０３から切先０４０４方向にかけて５ミリメートルから８０ミリメートルの位置を横幅とする領域内を刻印位置とすることが考えられる。かかる位置は刃物のなかでも相対的に面が略平坦に構成されているため、当該構成を採用することにより、刃物の種類や形状を問わずに好適な環境下で刻印処理を施すことができる。
【００３６】
また、刻印サイズについても図４を用いてその具体例を説明する。同図で示されているのは、上から順に、刃物として牛刀を選択した場合（ａ）、三徳包丁を選択した場合（ｂ）、ペティナイフを選択した場合（ｃ）の刻印位置及び刻印サイズを示した図である。
【００３７】
まず同図（ａ）に示されているように、刃物として牛刀を選択した場合には、音声波形の刻印位置は、峰から切先方向に３５ミリメートルから８０ミリメートルの位置を横幅とし、波形の幅長は最大９ミリメートルとした。なお、同図においては音声波形の端部横にロゴを銘として刻印している例を設けているが、当該ロゴを刻印するかどうかは設計事項である。
【００３８】
また同図（ｂ）に示されているように、刃物として三徳包丁を選択した場合には、音声波形の刻印位置は、峰から切先方向に３５ミリメートルから７０ミリメートルの位置を横幅とし、波形の幅長は最大９ミリメートルとした。そして同図（ｃ）に示されているように、刃物としてペティナイフを選択した場合には、音声波形の刻印位置は、峰から切先方向に３５ミリメートルから６０ミリメートルの位置を横幅とし、波形の幅長は最大９ミリメートルとした。これらのように、刃体の長さに応じて音声波形の横幅を調整可能にデザイン情報を構成することで、刃体の長さに好適な意匠として音声波形を刻印するようなデザイン情報を生成することが可能になる。なおここで上げた刃物の種類はあくまで一例であり、刃物の種類や刻印位置の情報は適宜加除修正を受付け、当該受け付けた内容を用いることが可能である。
【００３９】
なおここまでは、デザイン情報として、刻印に関連する情報の構成について説明してきたが、他にも刃物全体の構成に関する情報を構成するようにしてもよい。包丁やナイフを例にとると柄の種類であったり、ハサミであればハンドル部分であったりと刃部分以外の構成部分をどのような部材で構成するかを選択する情報が含まれていてもよい。また、刃物の鋼材に関する情報をデザイン情報としてもよい。ステンレスやハガネなどを選択できるようにしてもよいし、さらに各種特徴のある鋼材を選択可能にしてもよい。これらの刃物全体の構成を選択可能にしたデザイン情報を構成することにより、オリジナルの刻印と相まって、贈答者にとり使い甲斐のある長く使用してもらえるデザイン刃物を提供することが可能になる。
【００４０】
「刻印処理部」０２０４は、デザイン情報に基づき刃物への刻印処理を行うための構成を有する。刻印処理は通常、レーザー光を刻印位置への照射により実行される。そのため刻印処理部では、当該レーザー照射の実行のための処理が行われる。具体的には、レーザー照射をする装置に対して、デザイン情報に基づいた特定の刻印処理をするための命令信号を送信する構成も考えられるし、当該装置にてレーザー照射をするために用いられる情報を送信する構成も考えられる。
【００４１】
＜具体的な構成＞
ここで図５を示す。同各図はいずれも本実施形態のデザイン刃物作製システムの機能的な各構成をまとめて一のハードウェアとして実現した際の構成の一例を示す概略図である。各装置はいずれも、それぞれ各種演算処理を実行するための「ＣＰＵ」０５０１と、「記憶装置（記憶媒体）」０５０２と、「メインメモリ」０５０３と、「入力インターフェース」０５０４、「出力インターフェース」０５０５、「ネットワークインターフェース」０５０６と、を備え、入出力インターフェースを介して、例えば「マイク」０５０７、「ディスプレイ」０５０８などの外部周辺装置と情報の送受信を行う。また、ネットワークインターフェースを介して「ユーザ端末」０５０９などの外部装置と情報の送受信を行う場合があってもよい。このネットワークインターフェースの具体的な態様は有線、無線を問わず、また、通信方法も直接、間接を問わない。よって特定の外部装置ないし同装置の利用者と紐づけられた第三者の管理するサーバとの間で情報の送受信を行ういわゆるクラウドコンピューティングの形式を採用することも可能である。
【００４２】
記憶装置には以下で説明するような各種プログラムが格納されており、ＣＰＵはこれら各種プログラムをメインメモリのワーク領域内に読み出して展開、実行する。なお、これらの構成は、「システムバス」０５９９などのデータ通信経路によって相互に接続され、情報の送受信や処理を行う（以上の構成の基本的な構成は、以下で説明する他の装置のいずれについても同様である。
【００４３】
（音声情報取得部の具体的な構成）
音声情報取得部は、コンピュータプログラムとコンピュータハードウェアにより構成され、具体的には、ＣＰＵが記憶装置から「音声情報取得プログラム」０５１０をメインメモリに読み出して実行し、ネットワークを介して外部の端末（ないし当該端末に備え付けられたマイク）から音声情報を取得し、メインメモリの所定のアドレスに格納する。なお、マイクなどの外部デバイスからを通じて音声情報の入力を受け付けてメインメモリの所定のアドレスに格納する構成も考えられる。
【００４４】
（音声波形取得部の具体的な構成）
音声波形取得部は、コンピュータプログラムとオシロスコープその他のコンピュータハードウェアにより構成され、具体的には、ＣＰＵが記憶装置から「音声波形取得プログラム」０５２０をメインメモリに読み出して実行し、音声情報取得プログラムの実行により取得した音声情報を読み出して音声波形を取得し、メインメモリの所定のアドレスに格納する。
【００４５】
（デザイン情報生成部の具体的な構成）
デザイン情報生成部は、コンピュータプログラムとコンピュータハードウェアにより構成されている。具体的には、ＣＰＵが記憶装置から「デザイン情報生成プログラム」０５３０をメインメモリに読み出して実行し、音声波形取得プログラムの実行により取得した音声波形を読み出して刃物に刻印するための情報であるデザイン情報を生成し、メインメモリの所定のアドレスに格納する。
【００４６】
（刻印処理部の具体的な構成）
刻印処理部は、コンピュータプログラムとコンピュータハードウェアにより構成されている。具体的には、ＣＰＵが記憶装置から「刻印処理プログラム」０５４０をメインメモリに読み出して実行し、デザイン情報生成プログラムの実行により得られたデザイン情報を読み出し、刃物への刻印処理を行うために必要な処理を行う。
【００４７】
＜処理の流れ＞
図６は、本実施形態のデザイン刃物作製方法の処理の流れの一例を示す図である。同図の処理の流れは以下のステップからなる。最初にステップＳ０６０１では、音声情報を取得する（音声情報取得ステップ）。ステップＳ０６０２では、取得した音声情報を用いて音声波形を取得する（音声波形取得ステップ）。そしてステップＳ０６０３では、取得した音声波形を用いて刃物に刻印するための情報であるデザイン情報を生成（デザインステップ）し、ステップＳ０６０４では、デザイン情報に基づき刃物への刻印処理を行うために必要な処理を行う（刻印処理ステップ）。
【００４８】
＜効果＞
以上の構成を採用するデザイン刃物作製システムを利用することにより、贈答者の贈答相手への気持ちを長期間にわたって伝えられるような刃物を製造し提供することができるようになる。
【００４９】
＜＜実施形態２＞＞
＜概要＞
本実施形態のデザイン刃物作製システムは、基本的には実施形態１に記載のデザイン刃物作製システムの技術的特徴と同様であるが、刻印画像を取得して刻印画像を識別する処理を要し、識別結果に応じて音声を出力する構成を更なる特徴として備えている。
【００５０】
＜機能的構成＞
図７は、本実施形態のデザイン刃物作製システムを一のコンピュータ（装置）で実現した場合の機能ブロックの一例を示す図である。同図において示されているように、本実施形態の「デザイン刃物作製システム」０７００は、「音声情報取得部」０７０１と、「音声波形取得部」０７０２と、「デザイン部」０７０３と、「刻印処理部」０７０４と、「画像取得部」０７０５と、「識別部」０７０６と、「音声出力部」０７０７とを有する。基本的な構成は、実施形態１の図２を用いて説明したデザイン刃物作製システムと共通するため、以下では相違点である「画像取得部」０７０５、「識別部」０７０６、及び「音声出力部」０７０７の機能について説明する。
【００５１】
「画像取得部」０７０５は、刻印画像を取得するように構成される。刻印画像取得の方法としては、まず本実施形態のデザイン刃物作製システムに対し、カメラ等のデバイスを通じて直接デザイン刃物に刻印された刻印画像を撮影し、当該撮影データを取得する方法による場合が考えられる。そのほかにも、ユーザが自身の携帯端末であるユーザ端末に附属されているカメラ等のデバイスを通じて刻印画像を取得し、当該取得された刻印画像をユーザ端末からネットワークを介してデザイン刃物作製システムに送信する処理を通じて取得する構成も考えられる。当該構成を採用することにより、場所の制約なく刻印画像を取得することが可能になる。
【００５２】
「識別部」０７０６は、画像取得部にて取得した刻印画像を識別するように構成される。ここでの「刻印画像を識別する」とは、当該取得した画像がデザイン刃物に刻印された画像、すなわち刻印画像か否かの識別処理と、刻印画像であるとの識別結果である場合に、どのような内容の刻印画像であるかを特定するための識別処理を含みうる。
【００５３】
まず、当該取得した画像がデザイン刃物に刻印された画像、すなわち刻印画像か否かの識別処理について説明する。すでに実施形態１において説明したように、刻印画像が音声波形にて構成される場合には、所定時間内の音声の波形である構成が好ましく、当該好適な構成に準拠した音声波形の横幅長は一定範囲に納まって構成されているはずである。したがって、取得した画像の横幅長がかかる一定範囲内にあるかどうかを識別処理することで、当該画像が刻印画像か否かを識別処理することが考えられる。
【００５４】
つぎに、どのような内容の刻印画像であるかを特定するための識別処理についてはまず、取得した刻印画像の音声波形の形状と、音声波形取得部にて取得した音声波形の形状とを比較して、同一形状の音声波形があるかないかを識別する処理を行うことが考えられる。この場合、音声波形取得部では、あらかじめ音声情報に基づいて音声波形を取得しており、上述した刻印画像が、すでに取得されている特定の音声波形と同一形状であることが判明すれば、当該特定の音声波形と関連して取得した音声情報を特定することが可能である。実施形態１で図３を用いて説明した例に戻ると、取得した刻印画像にて表示されている音声波形が、すでに取得されている特定の音声波形と同一であり、しかもその特定の音声波形は、「Ａ０２２９１３１５．ｗａｖ」というデータ名の音声を含む音声情報と紐づいて取得されていると特定できることで、後述する音声出力部では、以前に取得した音声データと同一の音声を出力することが可能になり、贈答相手に対し、いつでも贈答者の生成した音声を提供することができるようになる。
【００５５】
なおここまでの説明は、いちど取得した音声波形や音声情報を、デザイン刃物作製システムにおいて保持しておく構成を採用した場合の構成の一例についてのものである。場合によっては音声波形や音声情報を保持せず削除又は消去する構成や、上述したような識別処理を逐次行わない構成もあってもよい。その場合には、識別部では、取得した刻印画像に含まれる音声波形から周波数成分を抽出し、所定の音声を推定する処理を行ってもよい。
【００５６】
「音声出力部」０７０７は、識別部の識別結果に応じて音声を出力するように構成されている。識別部の識別結果に応じて音声を出力する、ということは、上述のとおり、特定の音声情報ないし音声と関連付けられているとの識別結果である場合には、当該特定の音声を出力する。また、特定の音声情報の出力をしない場合には、所定の音声を推定する処理を行い当該推定処理の結果推定された音声を出力する。
【００５７】
＜具体的な構成＞
本実施形態のデザイン刃物作製システムを構成する各装置のハードウェア構成は、基本的には、図４を用いて説明した実施形態１のデザイン刃物作製システムにおけるハードウェア構成と同様である。そこで以下については、これまで説明していない「画像取得部」、「識別部」、及び「音声出力部」の具体的な処理について説明する。
【００５８】
（画像取得部の具体的な構成）
画像取得部は、具体的にはコンピュータプログラムとコンピュータハードウェアにより構成され、ＣＰＵが記憶装置から「画像取得プログラム」をメインメモリに読み出して実行し、刻印画像を取得し、メインメモリの所定のアドレスに格納する。
【００５９】
（識別部の具体的な構成）
識別部は、具体的にはコンピュータプログラムとコンピュータハードウェアにより構成され、ＣＰＵが記憶装置から「識別プログラム」をメインメモリに読み出して実行し、画像取得プログラムの実行により取得した刻印画像を読み出して、音声波形か否かの識別処理を行う。また同時に、すでに取得している音声波形の情報を読み出して、同一の音声波形があるか否かの識別処理をも行う場合があってもよい。
【００６０】
（音声出力部の具体的な構成）
音声出力部は、具体的にはコンピュータプログラムとコンピュータハードウェアにより構成され、ＣＰＵが記憶装置から「音声出力プログラム」をメインメモリに読み出して実行し、識別プログラムの実行による識別結果に応じた音声を読み出して出力する。
【００６１】
＜処理の流れ＞
図８は、本実施形態のデザイン刃物作製システムにおける処理の流れの一例を示す図である。同図の処理の流れは以下のステップからなる。最初にステップＳ０８０１では、音声情報を取得する（音声情報取得ステップ）。ステップＳ０８０２では、取得した音声情報を用いて音声波形を取得する（音声波形取得ステップ）。そしてステップＳ０８０３では、取得した音声波形を用いて刃物に刻印するための情報であるデザイン情報を生成（デザインステップ）し、ステップＳ０８０４では、デザイン情報に基づき刃物への刻印処理を行うために必要な処理を行う（刻印処理ステップ）。
【００６２】
その後ステップＳ０８０５では、刻印画像の取得を受け付ける（画像取得ステップ）。そしてステップＳ０８０６で取得した画像が音声波形を含むかどうかを判断し、含まないと判断した場合には、その後の処理を行わない。含むと判断した場合にはさらに、ステップＳ０８０７ですでに取得した特定の音声波形と同一の音声波形か否かを判断する。ここで同一の音声波形がないとの判断結果である場合は、ステップＳ０８０９として、音声波形から推定される音声を出力する。同一の音声波形があるとの判断結果である場合は、ステップＳ０８０８として、当該同一の音声を出力する（音声出力ステップ）。
【００６３】
＜効果＞
本実施形態のデザイン刃物作製システムを用いることにより、実施形態１のデザイン刃物作製システムに比べ、より長きにわたって贈答相手に利用し続けてもらえるようなデザイン刃物を作製することができるようになる。
【符号の説明】
【００６４】
０２００・・・デザイン刃物作製システム、０２０１・・・音声情報取得部、０２０２・・・音声波形取得部、０２０３・・・デザイン部、０２０４・・・刻印処理部
【要約】
【課題】贈答用に刃物を提供しようとすると、従来技術では刃物の外装を装飾したり、識別情報を刻印することで贈答経路を把握したりすることはできても、贈答相手に対し、長期間にわたり贈答者の意を伝えることまでできるとは言い難かった。
【課題を解決するための手段】音声情報を取得する音声情報取得部と、取得した音声情報を用いて音声波形を取得する音声波形取得部と、取得した音声波形を用いて刃物に刻印するための情報であるデザイン情報を生成するデザイン情報生成部と、デザイン情報に基づき刃物への刻印処理を行うための刻印処理部と、を備えるデザイン刃物作製システムなどを提案する。
【選択図】図２【図１】
0006959623.tif 000002
【図２】
0006959623.tif 000003
【図３】
0006959623.tif 000004
【図４ａ】
0006959623.tif 000005
【図４ｂ】
0006959623.tif 000006
【図４ｃ】
0006959623.tif 000007
【図５】
0006959623.tif 000008
【図６】
0006959623.tif 000009
【図７】
0006959623.tif 000010
【図８】
0006959623.tif 000011